(57)【要約】【課題】  着座等により使用者の体形が変化しても、使用者の身体に常にフィットとし、使用者に不快感をもたらせることもなく、また、身体に負担を生じさせることもない伸縮ベルトを提供する。【解決手段】  非伸縮部材で形成された第１ベルト部と第２ベルト部とを連結する伸縮ベルト部は、貫通孔が形成されたコマと前記コマの貫通孔に挿通され前記コマを複数個連結する糸状の弾性繊維より構成されている。【選択図】    図１
2007247098.tif 000002
【特許請求の範囲】
【請求項１】
非伸縮部材で形成され一端側にバックル（３）が取り付けられる第１ベルト部（５）と非伸縮部材で形成され前記バックル（３）に一端側が掛けられる第２ベルト部（７）と前記第１及び第２ベルト部（５、７）の他端側同士を連結する伸縮ベルト部（９）とを有する伸縮ベルトにおいて、
前記伸縮ベルト部（９）は、貫通孔（１１１）が形成されたコマ（１１）と前記コマの貫通孔に挿通され前記コマを複数個連結する糸状の弾性繊維（１３）よりなり、前記糸状の弾性繊維の一端側が前記第１ベルト部の他端側に連結され前記糸状の弾性繊維の他端側が前記第２ベルト部の他端側に連結されていることを特徴とする伸縮ベルト。
【請求項２】
前記伸縮ベルト部（９）の前記コマ（１１）は少なくとも２本の貫通孔（１１１）が並行に形成され、前記コマの夫々の貫通孔に前記糸状の弾性繊維（１３）が挿通されていることを特徴とする請求項１に記載の伸縮ベルト。
【請求項３】
前記伸縮ベルト部（９）は、前記伸縮ベルトを使用者の腰部に巻きつけたときに、使用者の背部から側部に至る長さを有することを特徴とする請求項１又は２に記載の伸縮ベルト。
【請求項４】
前記伸縮ベルト部（９）は、前記コマ（１１）と前記糸状の弾性繊維（１３）とで構成された第１伸縮ベルト部（９Ａ）と前記コマ（１１）と前記糸状の弾性繊維（１３）とで構成された第２伸縮ベルト部（９Ｂ）とで構成され、前記第１及び第２伸縮ベルト部が並行するように配置されて前記第１及び第２伸縮ベルト部の夫々の端部が前記第１及び第２ベルト部（５、７）の他端側同士を連結していることを特徴とする請求項１乃至３のいずれかに記載の伸縮ベルト。
【請求項５】
前記第２伸縮ベルト部（９Ｂ）は前記第１伸縮ベルト部（９Ａ）よりも長く形成され、前記伸縮ベルトを使用者の腰部に巻きつけたときに、前記第１伸縮ベルト部が前記第２伸縮ベルト部よりも上方に位置づけられるように配置されていることを特徴とする請求項４に記載の伸縮ベルト。
【発明の詳細な説明】
【技術分野】
【０００１】
本発明は、ズボン等を着用する際に、腰部を締めるために使用する伸縮ベルトに関する。
【背景技術】
【０００２】
ズボン等を着用する際に腰部を締めるために使用するベルトとしては、皮革、厚い布地等により全長が一体に形成され、その一端にバックルが取り付けられているベルトが一般的であるが、腰部を締める度合いを微妙に調節できないこと、身体の動きに応じた体形の変化に対応できないこと等の理由から、非伸縮部材で形成された平ベルト部間を、この平ベルト部と同程度の幅の平板状に形成され、伸縮部材で形成された伸縮ベルト部で連結した伸縮ベルトが提案されている。
【特許文献１】実用新案登録第３０２５９８９号
【特許文献２】実用新案登録第３０９４２２６号
【発明の開示】
【発明が解決しようとする課題】
【０００３】
上述したような各種伸縮ベルトでは、伸縮ベルト部を厚くするなどして強度を増加すると、腰部を常時強く締め付けることになり、使用者に苦痛をもたらせることになる。
また、体形の変化に対応する微妙な形状変化に追随し難くなる。例えば、着座したときに腰部の背部側は湾曲するが、伸縮ベルト部の強度が強いと下縁側のみが身体に接触し、上縁側は身体との間に隙間が生じることになり、腰部の背部側はベルトの下縁側のみで圧迫されることになるので、使用者に不快感をもたらせ、また、身体に負担を生じさせる。
【０００４】
一方、伸縮ベルト部を薄くするなどして強度を減少させると、腰部を強く締め付けることがなくなり、使用者の体形の変化に対応する微妙な形状変化に追随し易くなる。しかしながら、例えばズボンのベルト通しに伸縮ベルトを通して腰部を締つけたときに、ズボンのベルト通しの部分に位置する伸縮ベルト部の部分がベルト通しによる押圧力を受け、伸縮ベルト部がベルト通しの部分で下方へ屈曲することになり、使用者に不快感を生じさせる。また、伸縮ベルト部の形状も変化するので伸縮ベルトの外観も損なうことになる。
【課題を解決するための手段】
【０００５】
本発明の伸縮ベルトでは、非伸縮部材で形成され一端側にバックルが取り付けられる第１ベルト部と非伸縮部材で形成され前記バックルに一端側が掛けられる第２ベルト部と前記第１及び第２ベルト部の他端側同士を連結する伸縮ベルト部とを有する伸縮ベルトにおいて、伸縮ベルト部は、貫通孔が形成されたコマと前記コマの貫通孔に挿通され前記コマを複数個連結する糸状の弾性繊維よりなり、前記糸状の弾性繊維の一端側が前記第１ベルト部の他端側に連結され前記糸状の弾性繊維の他端側が前記第２ベルト部の他端側に連結された構成とすることにより
上記課題を解決した。
【発明の効果】
【０００６】
本発明の伸縮ベルトによると、伸縮ベルト部の糸状の弾性繊維を適度な伸縮強度とすることにより、使用者の腰部を適切に締め付けることができる。しかも、複数個のコマが糸状の弾性繊維により連結されており、ズボンのベルト通しの部分の押圧力は夫々のコマが受けることになるので、伸縮ベルト部がベルト通しの部分で下方へ屈曲することがない。また、夫々のコマは糸状の弾性繊維に保持されているので、各コマは隣接するコマとは微妙に異なる向きに独自にその向きを変えることができる。従って、着座等により使用者の体形が変化しても、夫々のコマは、使用者の身体に対向する側の面の全面が使用者の身体と接触する方向に微妙に向きを変えることになり、伸縮ベルト全体が使用者の身体にフィットするので、使用者に不快感をもたらせることもなく、また、身体に負担を生じさせることもない。
【０００７】
また、伸縮ベルト部を構成するコマとして、人体の健康増進に有効とされているトルマリン石、磁石を用いるならば、本発明の伸縮ベルトを健康増進具としても用いることができ、さらには、貴石、貴金属、象牙等より形成するならば伸縮ベルトにファッション性を持たせることもできる。
【発明を実施するための最良の形態】
【０００８】
本発明者は、従来技術とその問題点を詳細に検討した結果、以下の経緯により本発明を完成するに至った。
【実施例１】
【０００９】
＜伸縮ベルト１＞
【００１０】
図１は、本発明による伸縮ベルト１を示す平面図である。
伸縮ベルト１は、一端側にバックル３が取り付けられた第１ベルト部５と前記バックル３に一端側が掛けられる第２ベルト部７と前記第１及び第２ベルト部５、７の他端側同士を連結する伸縮ベルト部９より構成されている。
【００１１】
第１及び第２ベルト部５、７は、皮革、厚い布地等の非伸縮部材により平ベルト状に形成され、第２ベルト部７の一端側にはバックル３の留めピン３１に係合する複数のパンチ穴７１が長手方向に所定間隔で形成されている。
【００１２】
伸縮ベルト部９は、略長方体形のコマ１１と糸状のポリウレタン弾性繊維１３とで構成されている。図２に示すように、コマ１１には２本の貫通孔１１１が並行に形成されており、図１に示すように、それらの貫通孔１１１に糸状のポリウレタン弾性繊維１３を挿通することにより、多数のコマ１１が糸状のポリウレタン弾性繊維１３に沿って連結されている。そして、糸状のポリウレタン弾性繊維１３の一端側が第１ベルト部５の他端側に連結され他端側が第２ベルト部７の他端側に連結されて伸縮ベルト１が形成されている。
【００１３】
本例の伸縮ベルト１では、第１ベルト部５の長さ、第２ベルト部７の長さ、伸縮ベルト部９の長さの比は、１対２対３程度となっており、伸縮ベルト１を使用者の腰部に巻きつけたときに、伸縮ベルト部９は使用者の背部から側部に至るように配置される。
また、第１ベルト部５と第２ベルト部７とは同じ幅とされ、伸縮ベルト部９の幅は第１、第２ベルト部５、７よりも狭くなっている。そして、伸縮ベルト１の使用時に上縁となる側が同一高さになるように、伸縮ベルト部９は第１ベルト部５及び第２ベルト部７に連結されている。また、第１、第２ベルト部５、７の下縁側は第１、第２ベルト部５、７の幅が伸縮ベルト部９側に向けて狭くなるように傾斜しており、伸縮ベルト部９に連結される部分の第１、第２ベルト部５、７の幅は伸縮ベルト部９の幅と同一となっている。
【００１４】
第１ベルト部５と第２ベルト部７の幅はズボン等のベルト通しに適合するように幅広に形成してある。また、伸縮ベルト部９はコマ１１を幅狭に形成して軽量化を図っている。また、伸縮ベルト１の使用時に上縁となる側が同一高さになるようにすることにより、ズボン等に設けられた複数のベルト通しを伸縮ベルト１で均等に保持できる。
＜トルマリン石＞
【００１５】
略長方体形のコマ１１は、トルマリン石で作る。
その効能については、各種の文献で発表されている。人の肌にふれても、アレルギー症状を呈さない利点がある。
トルマリン石は、電気を発生させることから、電気石とも呼称され、常温においてマイナスイオン、中間赤外線あるいは微弱電流を発生するなどである。
【特許文献３】実用新案登録第３０８７２２９号特許文献５の実用新案登録第３０８７２２９号以外にも、トルマリンの効能並びにその応用については、実用新案登録３０２８７３８号、同３０３６６７７号、同３０８６０３３号に述べられている。
【特許文献４】実用新案登録第３０２８７３８号
【特許文献５】実用新案登録第３０３６６７７号
【特許文献６】実用新案登録第３０８６０３３号＜ポリウレタン弾性繊維１３＞
【００１６】
糸状のポリウレタン弾性繊維１３は、米国ヂュポン社が開発したものでLYCRA（登録商標）として販売されている。
該ポリウレタン弾性繊維１３は、化学繊維で「クモの糸のように細く、ゴム糸のように伸び縮みする繊維」と言われている。
前記LYCRAは、伸縮性、耐久性、均一性などにすぐれた特徴を持っている。
本発明では、既述したように、略長方体形の多数のコマ１１の貫通孔１１１にLYCRAを通して伸縮ベルト部９を完成したものである。
＜コマ１１＞
【００１７】
図２は、伸縮ベルト部９を構成するコマ１１を示したものである。
略長方体形のコマ１１には２つの貫通孔１１１が形成されており、この孔１１１に前記糸状のポリウレタン弾性繊維１３を挿通する。
このように、コマ１１に２本の糸状のポリウレタン弾性繊維１３が挿通されているので、多数のコマ１１は、図１に示すように、１本のバンド状の形態に２本の糸状のポリウレタン弾性繊維１３で保持される。
尚、コマ１１に長穴状の貫通穴を1つ形成し、この長穴に１本の平板形の糸状の弾性繊維を挿通することにより、多数のコマ１１を１本のバンド状の形態に１本の糸状の弾性繊維で保持させることもできる（図示せず）。
【００１８】
また、コマ１１は２本の糸状のポリウレタン弾性繊維１３で保持されているので、伸縮ベルト部９に圧力が加わらない場合、多数のコマ１１は１本のバンド状の形態に連結された状態を維持するが、伸縮ベルト１の使用時においては、着座等により使用者の体形が変化しても、夫々のコマは、弾性繊維１３の伸縮作用により、使用者の身体に対向する側の面の全面が使用者の身体と接触する方向に微妙に向きを変えることになる。
【００１９】
図３はその作用を示した図であり、非伸縮部材のベルト（或いは強度が強い伸縮ベルト）５０の場合、図３（a）に示すように、ベルト５０は、使用者の身体に対向する側のベルト５０の面５０aがベルト５０の長手方向に対して直交する状態になるので、ベルト５０を腰部に締めた使用者が着座したような場合、使用者の腰部の背面Ｍとベルト面５０aの上縁側との間には隙間が生じ、ベルト５０の下縁側のみで締め付ける状態となる。
これに対し、本発明の伸縮ベルト１においては、伸縮ベルト部９を構成する糸状のポリウレタン弾性繊維１３に保持された夫々のコマ１１は、弾性繊維１３の伸縮作用により、隣接するコマ１１とは微妙に異なる向きに独自にその向きを変えることができるので、図３（ｂ）に示すように、コマ１１は、使用者の身体に対向する側のコマ１１の面１１aの全面が使用者の身体と接触する方向に微妙に向きを変えることになり、伸縮ベルト全体が使用者の身体にフィットする。
【実施例２】
【００２０】
図４は、本発明の第２の実施例に係る伸縮ベルト１Ａを示す平面図である。
本例に係る伸縮ベルト１Ａでは、第１ベルト部５と第２ベルト部７とは、２本平行する伸縮ベルト部９Ａ、９Ｂにより連結されている。
【００２１】
伸縮ベルト部９Ａ、９Ｂの構成は前記伸縮ベルト部９と同様であるが、上部に位置する伸縮ベルト部９Ａの長さＬ１に対して下部に位置する伸縮ベルト部９Ｂの長さＬ２を若干長くしてある。
ベルト１Ａを腰部に締めた使用者が立っている状態から着座したような場合、使用者の腰周りは大きくなるが、ベルト１Ａの上部側よりも下部側に位置する腰周りの方がより大きくなる。そこで、常に均等な圧力で使用者の腰部を締め付けることができるように、上部に位置する伸縮ベルト部９Ａよりも下部に位置する伸縮ベルト部９Ｂを長くしてある。
その余の事項は、実施例１と同じ。
【図面の簡単な説明】
【００２２】
【図１】本発明の伸縮ベルトを示す平面図である。
【図２】本発明の伸縮ベルト部を構成するコマを示した斜視図である。
【図３】（a）は従来ベルトの作用を説明する説明図を示し、（b）は本発明の伸縮ベルトの作用を説明する説明図である。
【図４】本発明の他の伸縮ベルトを示す平面図である。
【符号の説明】
【００２３】
１  伸縮ベルト
３  バックル
５  第１ベルト部
７  第２ベルト部
９  伸縮ベルト部
１１  コマ
１１１  貫通孔
１３  糸状の弾性繊維
【図１】
2007247098.tif 000003
【図２】
2007247098.tif 000004
【図３】
2007247098.tif 000005
【図４】
2007247098.tif 000006